(57)【要約】【課題】従来のものより大きい表示スクリーンを設置することができる遊技盤及び該遊技盤を備えた遊技機の提供。【解決手段】高低両端縁を有する表面に設けられる複数の釘を用いて、高端縁の方から落ちてくるパチンコ玉の複数の落下経路を画成する遊技盤であって、その少なくとも一部が透明材料からなり、且つ該透明材料からなった透明部の表面に前記複数の釘の少なくとも１つが前記透明部に形成してある設置孔にはめ込まれている固定スリーブ内に挿し込まれるようにして突設されていることを特徴とする遊技盤を提供する。【選択図】図２
0003162119.tif 000002
【実用新案登録請求の範囲】
【請求項１】
高低両端縁を有する表面に設けられる複数の釘を用いて、高端縁の方から落ちてくるパチンコ玉の複数の落下経路を画成する遊技盤であって、その少なくとも一部が透明材料からなり、且つ該透明材料からなった透明部の表面に前記複数の釘の少なくとも１つが前記透明部に形成してある設置孔にはめ込まれている固定スリーブ内に挿し込まれるようにして突設されていることを特徴とする遊技盤。
【請求項２】
前記透明部に前記パチンコ玉が落下できる入賞口が設けられていることを特徴とする請求項１の遊技盤。
【請求項３】
前記透明部に突設されている前記釘及び前記固定スリーブは、透明材料からなっていることを特徴とする請求項１の遊技盤。
【請求項４】
請求項１から請求項３のいずれか１項に記載の遊技盤を備えたことを特徴とする遊技機。
【考案の詳細な説明】
【技術分野】
【０００１】
本考案は遊技盤及び該遊技盤を備えた遊技機に関し、特に、従来のものより大きい表示スクリーンを設置することができる遊技盤及び該遊技盤を備えた遊技機に関する。
【背景技術】
【０００２】
図４に示されているパチンコマシンと呼ばれる従来の玉入れ遊技機は、操作ノブ９６により強さを制御してパチンコ玉を打ち上げ、該パチンコ玉が落下途中で各所に配置された障害釘９２によって弾かれながらも入賞口９３に入るかどうかを楽しむゲームであり、同時に、表示スクリーン９４に演出されるミニゲームや動画を楽しむこともできる。
【０００３】
しかしながら、図中に示されるように、表示スクリーン９４を見えるようにするため、表示スクリーン９４に対応する部分９５を窓として開けたり、透明部として形成するなどして構成すると、表示スクリーン９４を大きくする場合に障害釘９２の配置可能位置が制限されてしまう。そのため、障害釘９２の配置パターンによっては、表示スクリーン９４のサイズを小さくしなければならなかったり、あるいは表示スクリーン９４自体を配置できないことも起こり得る。
【０００４】
パチンコマシンの表示スクリーンは各々のゲームの特色を演出する重要な役割を果たしており、表示スクリーンのサイズや位置に制限されずに障害釘９２を設置できるようにすることは、パチンコマシンの機能強化につながり、パチンコマシンの市場価値を高めることができる。
【考案の概要】
【考案が解決しようとする課題】
【０００５】
従って、本考案は従来のものより大きい表示スクリーンを設置することができる遊技盤及び該遊技盤を備えた遊技機の提供を目的とする。
【課題を解決するための手段】
【０００６】
上記課題を達成すべく、本考案は、高低両端縁を有する表面に設けられる複数の釘を用いて、高端縁の方から落ちてくるパチンコ玉の複数の落下経路を画成する遊技盤であって、その少なくとも一部が透明材料からなり、且つ該透明材料からなった透明部の表面に前記複数の釘の少なくとも１つが前記透明部に形成してある設置孔にはめ込まれている固定スリーブ内に挿し込まれるようにして突設されていることを特徴とする遊技盤を提供する。
【０００７】
上記遊技盤において、前記透明部に前記パチンコ玉が進入することができる入賞口が設けられていることが好ましい。
【０００８】
上記遊技盤において、前記透明部に突設されている前記釘及び前記固定スリーブは透明材料からなっていることが好ましい。
更に、本考案は上記遊技盤を備えた遊技機をも提供する。
【考案の効果】
【０００９】
上記構成により、本考案は遊技盤に透明部を設けることによって、遊技盤の背面側に配置される表示スクリーンの配置自由度を高めることが出来、従来のものより大きい表示スクリーンを設置こともできる。
【図面の簡単な説明】
【００１０】
【図１】本考案の遊技機の好ましい実施形態の一部構成が示されている斜視図である。
【図２】図１に示されている遊技機の一部構成の分解図である。
【図３】本考案の好ましい実施形態の遊技盤及び該遊技盤に固定されている障害釘の取り付け関係が示されている一部斜視図である。
【図４】従来の遊技機の、正面構成が示されている模示図である。
【考案を実施するための形態】
【００１１】
以下は図１〜図３を参照しながら、本考案の遊技盤及び該遊技盤を備えた遊技機の好ましい実施形態について説明する。
【００１２】
まず、図１に示されているのは本考案の遊技盤を備えた遊技機の好ましい実施形態の一部構成が示されている斜視図であり、図２に示されているのはその分解図である。
【００１３】
図示されているように、本考案の遊技機の第１の実施形態は、正面フレーム２と、その高低両端縁を有する正面に設けられている複数の障害釘１３を用いて、該正面の高端縁側から落ちてくるパチンコ玉の複数の落下経路を画成した遊技盤１と、遊技盤１の背面側に配置されている表示スクリーン３とを備えた遊技機である。
【００１４】
図１及び図２に示されているように、正面フレーム２には窓２１が空けられており、使用者は窓２１を通して、打ち上げられたパチンコ玉の落下過程や表示スクリーン３の表示画像を見ることができる。
【００１５】
遊技盤１には不透明材料からなった不透明部１１と透明材料からなった透明部１２とを有し、透明部１２は不透明部１１に形成されている窓１１３内にはめ込まれている。不透明部１１及び透明部１２両方の表面に前記複数の障害釘１３が設けられており、更に、不透明部１１には複数の入賞口１１２が配置され、打ち上げられたパチンコ玉がいずれかの入賞口１１２に進入すると入賞となり、表示スクリーン３に対応の画像演出が表示される。
【００１６】
表示スクリーン３は遊技盤１の背面側に、使用者が遊技盤１の透明部１２を通して見ることができる位置に配置されている。表示スクリーン３は入賞の画像演出や、パチンコゲームに関連する動画を表示するほか、パチンコゲームに関連しないミニゲームの画像などをも表示することができるように構成されている。
【００１７】
更に、図３に示されているように、透明材料からなった透明部１２に設けられている障害釘１３は、透明部１２に形成してある設置孔１２１にはめ込まれている固定スリーブ１５内に挿し込まれるようにして突設されている。障害釘１３及び固定スリーブ１５は、透明材料または不透明材料を用いて形成することができ、本実施形態では透明材料を使用している。
【００１８】
固定スリーブ１５は可撓性を有する材料を使用して形成されることが好ましく、固定スリーブ１５を障害釘１３と設置孔１２１の間に介在させることによって、障害釘１３を設置孔１２１内に締め付けると共に、パチンコ玉の衝撃に対する耐久性を高めることができ、遊技盤１の使用寿命を長く保つことができる。
【００１９】
この構成により、使用者は障害釘１３が設けられた遊技盤１の透明部１２を通して表示スクリーン３を見ることが出来、更に透明部１２に配置された障害釘１３も透明材料を使用するので、障害釘１３の存在に関わらず、表示スクリーン３の表示をはっきりと見ることができる。従って、表示スクリーン３のサイズや位置は障害釘１３の位置に制限されずに配置することができ、表示スクリーン３及び障害釘１３両方の配置自由度を高めることができるようになる。
【産業上の利用可能性】
【００２０】
上記構成により、本考案は遊技盤に透明部を設けることによって、遊技盤の背面側に配置される表示スクリーンの配置自由度を高めることが出来、従来のものより大きい表示スクリーンを有する遊技機を提供することもできる。
【符号の説明】
【００２１】
１    遊技盤
２    正面フレーム
３    表示スクリーン
１１    不透明部
１２    透明部
１３    障害釘
１５    固定スリーブ
２１    窓
１１２    入賞口
１１３    窓
１２１    設置孔
【図１】
0003162119.tif 000003
【図２】
0003162119.tif 000004
【図３】
0003162119.tif 000005
【図４】
0003162119.tif 000006